(57)【要約】      （修正有）【課題】座者の体格や姿勢に応じて好適に上体を支持し得るランバーサポートを有した椅子を提供する。【解決手段】背本体における左右両側に位置付けられた左右の背フレーム４５、４６に張り設けられ背凭れ面を形成する張地と、この張地の背面側に添設するランバーサポート５とを有してなる椅子であって、ランバーサポート５が、可撓性を有した紐状をなす線状体５１と、左右の背フレーム４５、４６に取りつけられ線状体５１が背凭れ面上に架設された連動可能な複数の架設線５１ａを形成するように線状体５１を相対動作可能に掛け通す複数の掛け通し部たる引掛ピン５５と、線状体５１の張力を所要の張力に調節し且つ維持する張力調整部とを具備している。【選択図】図３
2014239723.tif 000002
【特許請求の範囲】
【請求項１】
左右両側に位置付けられた背フレームに張り設けられ背凭れ面を形成する張地と、
この張地に沿わせて前記左右の背フレーム間に配置されたランバーサポートとを有してなる椅子であって、
前記ランバーサポートが、可撓性を有した紐状をなす線状体と、
前記背フレームに取りつけられ前記線状体が前記左右の背フレームに架設された複数の架設線を形成するように前記線状体を掛け通す複数の掛け通し部と、
前記線状体の張力を所要の張力に調節し且つ維持する張力調整部とを具備していることを特徴とする椅子。
【請求項２】
前記張力調整部が、前記掛け通し部間の距離を変更することにより線状体の張力を変更するものである請求項１記載の椅子。
【請求項３】
前記掛け通し部が前記背フレームにおける両側端に位置する対をなす支持体に設けられたものであり、
前記張力調整部が少なくとも一方の前記支持体を動作させるものである請求項１又は２記載の椅子。
【請求項４】
前記張力調整部が、前記一方の支持体を前記背フレームに対しスライド動作させるものである請求項３記載の椅子。
【請求項５】
前記張力調整部が、前記一方の支持体を前記背フレームに対し回転動作させるものである請求項３記載の椅子。
【請求項６】
前記線状体が環状をなすものであり、当該線状体の何れの箇所も固定されずに前記掛け通し部のみにより相対動作可能に掛け通された状態で支持されている請求項１、２、３、４又は５記載の椅子。
【請求項７】
前記線状体が両端部を有するものであり、当該両端部が固定されるとともに中間位置が前記掛け通し部により相対動作可能に掛け通された状態で支持されている請求項１、２、３、４又は５記載の椅子。
【請求項８】
前記張力調整部が、前記線状体の一部を巻き取ることにより当該線状体の張力を変更するものである請求項１記載の椅子。
【請求項９】
前記複数の架設線が前記背凭れ面を上下方向に離間した状態で横架するものである請求項１、２、３、４、５、６、７又は８記載の椅子。
【発明の詳細な説明】
【技術分野】
【０００１】
本発明は、ランバーサポートを具備する椅子に関するものである。
【背景技術】
【０００２】
従来、着座者の座り心地、特に着座者が快適となるよう着座者の上体を支持できるような背凭れが種々提案されてきた。その一例として、少なくとも左右両側に位置付けられた枠体状をなす背フレームに張地を張り設けて背凭れ面を形成し、この張地に添設する単一帯状のランバーサポートを別途設けたもので、このランバーサポートの一端側を前記背フレームにおける複数の部位の何れかに係留することにより撓みの度合いを変化させている椅子を挙げることができる(例えば、特許文献１参照)。このような椅子では、着座者個々の上体の荷重に応じてランバーサポートの撓み度合いを調整することで、着座者毎に快適な座り心地を提供し得る。
【０００３】
しかしながら現状において、着座者の個々の体格の違い、具体的には大きさや形状をも考慮すれば、着座者にとって快適なランバーサポートの撓み度合いは着座者特有の姿勢や趣向により単一ではなく、それぞれ異なっている。すなわちある着座者にとって撓み度合いを有するようになっていたとしても他の着座者にとっては所望の撓み度合いとは異なることも考えられる。このような場合は他の着座者に違和感を与えてしまうということも考えられる。
【先行技術文献】
【特許文献】
【０００４】
【特許文献１】特許第４１２７１９３号公報
【発明の概要】
【発明が解決しようとする課題】
【０００５】
本発明は、このような不具合に着目したものであり、着座者の体格や姿勢に応じて好適に上体を支持し得るランバーサポートを有した椅子を提供することを目的としている。
【課題を解決するための手段】
【０００６】
本発明は、このような目的を達成するために、次のような手段を講じたものである。
【０００７】
すなわち本発明に係る椅子は、左右両側に位置付けられた背フレームに張り設けられ背凭れ面を形成する張地と、この張地に沿わせて前記左右の背フレーム間に配置されたランバーサポートとを有してなる椅子であって、前記ランバーサポートが、可撓性を有した紐状をなす線状体と、前記背フレームに取りつけられ前記線状体が前記左右の背フレームに架設された複数の架設線を形成するように前記線状体を掛け通す複数の掛け通し部と、前記線状体の張力を所要の張力に調節し且つ維持する張力調整部とを具備していることを特徴とする。
【０００８】
ここで、「線状体の張力」とは、線状体に対し着座者が接していない初期状態での張力を意味する。つまり「張力を調整する」とは、前記初期状態での張力を調整することを意味し、「維持する」とは初期状態での張力が維持されることを意味する。
【０００９】
このようなものであれば、着座者の所望する着座姿勢や趣向に応じて張力を調整し、その張力が維持された状態でランバーサポートが着座者を支持できるようになる。その結果、着座者の体格や姿勢に応じて好適に上体を支持し得るランバーサポートを有した椅子を提供することができる。
【００１０】
そして架設線同士の連動を維持しながら着座者にとって所望の撓み度合いを実現するためには、前記張力調整部を、前記掛け通し部間の距離を変更することにより線状体の張力を変更する構成とすることが望ましい。
【００１１】
架設線同士の連動と線状体のスムーズな張力調整とを両立させるための構成の一例として、前記掛け通し部を前記背フレームにおける両側端に位置する対をなす支持体に設けられたものとし、前記張力調整部を少なくとも一方の前記支持体を動作させるものとした態様を挙げることができる。
【００１２】
また、背フレームの形状を利用してコンパクトに張力調整部を構成するためには、張力調整部を、前記一方の支持体を前記背フレームに対しスライド動作させるものとすることが望ましい。
【００１３】
また使用者の張力調整のための操作力を効率よく伝え得るようにするためには、前記張力調整部を、前記一方の支持体を前記背フレームに対し回転動作させるようにすることが好ましい。
【００１４】
そして、架設線毎に掛かる荷重が異なっても線状体に局所的な負担が掛かることを回避することで、架設線同士の連動を安定させるようにするためには、前記線状体が環状をなすものとし、当該線状体の何れの箇所も固定されずに前記掛け通し部のみにより支持する構成を適用することが好ましい。加えて、背凭れ面に架け渡された複数の架設線が連動することにより、一の架設線に強く荷重か掛かり大きく撓むと他の架設線は連動して張力が増すようになる。
【００１５】
そして線状体に局所的な負担が掛かることを回避することで、架設線同士の連動を安定させるための他の態様としては前記線状体を両端部を有するものとし、当該両端部を固定するとともに中間位置を前記掛け通し部により相対動作可能に掛け通した状態で支持するようにしているものを挙げることができる。
【００１６】
また、前記張力調整部が、前記線状体の一部を巻き取ることにより当該線状体の張力を変更するようにすれば、簡素な構成で張力調整部を実現することができる。
【００１７】
着座者の腰部がより快適となるような構成として、前記複数の架設線が前記背凭れ面を上下方向に離間した状態で横架する構成を挙げることができる。
【発明の効果】
【００１８】
本発明によれば、着座者の体格や姿勢に応じて好適に上体を支持し得るランバーサポートを有した椅子を提供することができる。
【図面の簡単な説明】
【００１９】
【図１】本発明の一実施形態に係る斜視図。
【図２】同背面図。
【図３】同要部の構成説明図。
【図４】図３に係る動作説明図。
【図５】同実施形態に係る模式的な作用説明図。
【図６】同上。
【図７】同実施形態の変形例に係る構成説明図。
【図８】図８に係る動作説明図。
【図９】同実施形態の他の変形例に係る構成説明図。
【図１０】同実施形態の他の変形例に係る構成説明図。
【図１１】同実施形態の他の変形例に係る構成説明図。
【発明を実施するための形態】
【００２０】
以下、本発明を事務用回転椅子に適用した場合の一実施形態につき、図面を参照して説明する。
【００２１】
この椅子は、図１及び図２に示すように、脚体１と、この脚体１の上部に支持され水平旋回可能な支持基部２と、この支持基部２の上に配された座３と、前記支持基部２に後傾動作可能に設けられた背凭れ４とを具備してなる。
【００２２】
脚体１は、図１〜図６に示すように、キャスタ１２を有した脚羽根１１と、この脚羽根１１の中心部に立設した脚支柱１３とを具備してなる。前記脚支柱１３は、ガススプリングを主体に構成された通常のもので、この脚支柱１３の上端部に前記支持基部２が取り付けられている。
【００２３】
支持基部２は、同図に示すように、前記脚体１によって水平旋回可能かつ上下方向に昇降可能に支持されたもので、前記脚支柱１３に装着されたハウジングと、このハウジングに内蔵される図示しない背凭れ支持用の主軸に力を付与して前記背凭れ４の後傾動作に対して弾性反発力を発生させる図示しない傾動反力発生機構とを具備してなる。前記傾動反力発生機構は、図示しないコイルスプリングやガススプリング等を用いて前記主軸に回転方向の弾性反発力を付与し得るように構成されたものであるが、通常のものであるため説明を省略する。
【００２４】
前記座３は、同図に示すように、着座面を構成する座本体３１と、この座本体を支持する図示しない座受と、この座受に設けられ前記脚支柱１３に設けられたガススプリングを操作して支持基部２、座３及び背凭れ４を昇降させるための昇降レバー３２とを備えたものである。
【００２５】
背凭れ４は、左右の背フレーム４５、４６を備え枠状をなす背本体４３と、支持基部２の後部両側から延出して背本体４３を支持する対をなす背支桿４１と、この対をなす背支桿４１の間に設けられ、背凭れ４の後傾動作を使用者の操作により禁止するためのガススプリング４２と、前記背本体４３に張り設けられた張地４４と、この張地４４の背面側に沿わせて前記左右の背フレーム４５、４６間に配置されたランバーサポート５とを有している。前記背支桿４１は上述した支持基部２の主軸に基端部を固定されることにより前記傾動反力発生機構による弾性反発力を有した状態で背本体４３を支持するものであり、ガススプリング４２は伸縮可能な状態では着座者の荷重による前記背凭れ４の後傾動作並びに前記傾動反力による前傾動作、すなわち背凭れ４の揺動を許容する一方、図示しないレバー等の操作により伸縮が禁止されることで支持基部２と背本体４３との相対距離を固定することで背凭れ４を支持基部２に対して動作不能な状態とするものであるが、通常のものであるため説明を省略する。
【００２６】
ここで、本実施形態に係る椅子は、背本体４３における左右両側に位置付けられた左右の背フレーム４５、４６に張り設けられ背凭れ面を形成する張地４４と、この張地４４の背面側に添設するランバーサポート５とを有してなる椅子であって、前記ランバーサポート５が、可撓性を有した紐状をなす線状体５１と、前記背本体４３に取りつけられ前記線状体５１が前記背凭れ面上に架設された複数の架設線５１ａを形成するように前記線状体５１を複数の掛け通し部たる引掛ピン５５と、前記線状体５１の張力を所要の張力に調節し且つ維持する張力調整部５４とを具備していることを特徴とするものである。以下、本実施形態に係るランバーサポート５の構成を前記張地４４、背本体４３の構成とともに詳述する。
【００２７】
張地４４は、背本体４３の前側全域に亘って一定の張力を維持した状態で張り設けられたものである。本実施形態では張地４４の素材として、一定の伸縮性及び通気性を有したメッシュ地を適用しているが勿論、エラストマー等の他の素材を適用してもよい。また本実施形態では張地４４を同素材により一体的に成形されたものを適用しているが勿論、異なる素材や或いは同素材であっても厚みや色、糸の密度が異なるものを適宜縫い合わせたり重ねたりしたものであっても良い。
【００２８】
背本体４３は、前記背支桿４１に支持された矩形枠状をなすものであり左右両端には左右の背フレーム４５、４６を有している。そしてこの左右の背フレーム４５、４６の上下方向中間よりやや下側の位置にランバーサポート５を架設している。また背本体４３は、剛性を有した樹脂素材からなるものであり、下端部において前記背支桿４１及びガススプリング４２の先端に固定されている。背本体４３は、本実施形態では前記張地４４の周縁を固定するために周囲に溝部を周回させるように設けている。そしてこの溝部に張地４４の周縁に固定された図示しない帯状の樹脂板を差し込むことによって張地４４を固定している。また背本体４３は上記の構造に限定されず、例えば前後に分離した態様のものとし、背本体４３の前側を例えば可撓性を有する帯状の樹脂からなるものとし、張地４４を介して掛かる着座者の荷重により適宜撓み得るように背本体４３の後ろ側に剛性をもたせ前記ランバーサポート５を前記前側と前後から挟み込むように取りつけるようにしても良い。
【００２９】
ランバーサポート５は、図３〜図６に示すように、前記左背フレーム４５、右背フレーム４６に支持された対をなす支持体５２、５３と、この対をなす支持体５２、５３に突設させた複数の掛け通し部たる引掛ピン５５と、この引掛ピン５５に架け渡された環状をなす線状体５１と、前記対をなす支持体５２、５３のうちの他端側支持体５３を側方にスライド動作させ得る張力調整部５４とを有している。
【００３０】
引掛ピン５５は本実施形態では線状体５１を掛け通すに足るように表面を平滑に構成した突起状のものとしている。また引掛ピン５５は、線状体５１との相対動作を促すために別途ローラ等を設けたものとしても良い。
【００３１】
線状体５１は、例えば、可撓性を有する金属や樹脂からなる環状をなす紐状のものであって、本実施形態では伸縮不能な素材を適用している。また線状体５１は、その表面が平滑なものであり、引掛ピン５５との相対動作、換言すれば引掛ピン５５との接触位置をスムーズに異ならせ得るものとなっている。
【００３２】
前記対をなす支持体５２、５３のうちの一端側支持体５２は、前記左背フレーム４５に固定されたものであり、上下６箇所に引掛ピン５５を有している。他端側支持体５３は、本実施形態では前記右背フレーム４６において側方にスライド可能に設けられている。この他端側支持体５３は、上下６箇所に設けられた引掛ピン５５と、側縁に設けられた開口の内側に、張力調整部５４に接する追従面５６とを有している。
【００３３】
張力調整部５４は、前記右背フレーム４６に対し回転可能に取りつけられたレバー５７と、このレバー５７に一体的に設けられ前記他端側支持体５３に接するカム５８とを有している。カム５８は図３及び図４に示すように概略長円形状をなし、その周面をカム面５９とし、このカム面５９が前記追従面５６に接している。
【００３４】
具体的に説明すると、この張力調整部５４は、線状体５１の張力、詳細には着座者の上体を支持していない初期張力を所望の張力に調整するための張力を調整する手段と、着座者からの荷重に対しても線状体５１の張り具合を維持すべく固定するための張力を固定する手段とを有している。本実施形態では、レバー５７、カム５８及び追従面が張力を調整するための張力調整手段を構成し、右背フレーム４６との間の摩擦により固定されているレバー５７が、カム５８の位置すなわち線状体５１の張力を維持するための張力維持手段を構成している。なおカム５８の位置を固定する構造は摩擦に限られることはない。例えば段階的に位置を固定するクリックストップ機構やラチェット機構、ウォームギヤ機構等、種々の構成を適用し得る。
【００３５】
しかして本実施形態では上述の通り、線状体５１を伸縮不能な素材で構成する一方、張地４４では伸縮可能な素材を採用することにより、張地４４が有する伸縮性により着座者の上体の形状に合わせて変形させつつ、線状体５１からなる架設線５１ａが要部を的確にサポートし得るようにしている。すなわち張力調整部５４により着座者の所望の着座感を得るようにサポートし得るようにしている。また本実施形態では、着座者の腰部を複数の架設線５１ａで支持することによりランバーサポート５が腰部を支持する面積を抑え、メッシュ地からなる張地４４が有する通気性をランバーサポート５が何ら損なうことが無いようにしている。
【００３６】
また本実施形態では、一端側支持体５２及び他端側支持体５３に設けられた計１２個の引掛ピン５５のみに支持される環状をなす線状体５１が何れの箇所にも固定されずに掛け回されることにより、図示の通り上下方向に一定寸法離間した状態で６本の架設線５１ａが形成される。そして前記張力調整部５４のレバー操作により他端側支持体５３がスライド動作することにより、線状体５１すなわち背凭れ面に架設された６本の架設線５１ａの張力を適宜調節し得るようになっている。図３ではレバー５７を縦向きにすることにより架設線５１ａの張力が最も小さい弛緩状態（Ｐ）を示している。この弛緩状態（Ｐ）からレバー５７を図４のように内方へ回転させると他端側支持体５３の前記追従面５６がレバー５７の動作によるカム５８の回転のためにカム面５９に押圧される。その結果他端側支持体５３は外側方へスライド動作する。これにより架設線５１ａの張力が最も高く設定された緊張状態（Ｑ）が実現される。すなわち本実施形態では、レバー５７を図３、図４に示す位置のみならずこれらの中間位置に設定することで、着座者が架設線５１ａの張力を任意に調整することができる。
【００３７】
また本実施形態では、複数の架設線５１ａが引掛ピン５５に掛けられることにより互いに連動するため、図５に示すように上部の架設線５１ａに相対的に強く荷重が掛かる場合は上部の架設線５１ａが大きく撓む反面、下方の架設線５１ａの張力が上がる。また図６に示すように上下方向における中間位置にある架設線５１ａに相対的に強く荷重が掛かる場合は中間位置にある架設線５１ａが大きく撓む反面、常用及び下方の架設線５１ａの張力が上がる。このように本実施形態では、線状体５１に対する荷重の掛かり方により、架設線５１ａ毎の張力が適宜異なるようになっているため、着座者にとって違和感の無い着座感の提供に資する。
【００３８】
以上のような構成とすることにより、本実施形態に係る椅子は、張地４４に添設しながら架け渡された複数の架設線５１ａからなる線状体５１の張力が所望の張力に調整されることにより、着座者の体格や姿勢に応じて好適に上体を支持し得るランバーサポート５を有した椅子を実現している。
【００３９】
そして架設線５１ａ同士の連動を維持しながら着座者にとって所望の撓み度合いを実現するために本実施形態では、前記張力調整部５４を、左右の背フレーム４５、４６間の距離を変更することにより線状体５１の張力を変更する構成としている。
【００４０】
また本実施形態では、複数の架設線５１ａ同士を連動させているので、一の架設線５１ａに強く荷重か掛かり大きく撓むと他の架設線５１ａは連動して張力が増すようになる。これにより着座者の趣向に応じて架設線５１ａ毎に張力を異ならせた状態でランバーサポート５が支持できる。特に架設線５１ａ毎に掛かる荷重が異なっても線状体５１に局所的な負担が掛かることを回避することで、架設線５１ａ同士の連動を安定させたり、線状体５１の耐久性を高く維持したりし得るようにするために本実施形態では、環状をなす線状体５１を適用し、当該線状体５１の何れの箇所も固定されずに前記引掛ピン５５のみにより横架される構成を適用している。
【００４１】
架設線５１ａ同士の連動と線状体５１のスムーズな張力調整とを両立させるための構成の一例として本実施形態では、前記引掛ピン５５を左右の背フレーム４５、４６における両側端に位置する対をなす支持体５２、５３に設けられたものとし、前記張力調整部５４が他端側支持体５３を動作させるものとした。
【００４２】
また特に、他端側支持体５３を背本体４３の形状を利用、換言すれば背本体４３の厚みの範囲内でスライド動作させる構成を適用することで張力調整部５４をコンパクトに構成している。
【００４３】
着座者の腰部がより快適となるように本実施形態では、前記複数の架設線５１ａが前記背凭れ面を上下方向に離間した状態で横架するようにし、着座者の腰部の形状の違いによって起こる部分的な荷重の掛かり方の違いにも好適に適用し、体格や着座姿勢が異なる種々の着座者にそれぞれ快適な着座感を与え得る。
【００４４】
＜変形例＞
以下、本実施形態の各変形例について説明する。これら各変形例において、上記実施形態の構成要素に相当するものについては同じ符号を付すとともに、その詳細な説明を省略する。
【００４５】
上記実施形態では張力調整部５４として、他端側支持体５３をスライドさせることによって掛け通し部たる引掛ピン５５間の距離を変更する態様を開示したが勿論、引っ掛けピンを移動させる態様はスライド動作に限定されない。
【００４６】
すなわち図７及び図８に示すように他端側支持体５３の代わりにを棒状の回転支持体５３ａを適用し、この回転支持体５３ａを軸心周りに回転させることにより線状体５１の張力を変更するものようにしても良い。
【００４７】
このようなものであれば、簡素な構成により張力調整部５４を構成しつつ、正確な動作を担保し得る。
【００４８】
また上記の変形例では、回転支持体５３ａの回転方向を軸心方向としたが、勿論線状体５１の張力を調整し得る態様であれば回転方向は問わない。すなわち図９に示すように、右背フレーム４６の背面側に回転支持体５３ａを取り付け、この回転支持体５３ａをその上端に回転軸５３ｂ１を有するとともに下端にナット部５３ｂ２を有するものとし、回転可能なダイヤル５７ａの雄ねじ軸５７ａ１に沿って前記ナット部５３ｂ２を進退させることにより線状体５１の張力を調整し得るようにしている。また回転支持体５３ａには線状体５１を掛け通すための掛け通し部としてはピン状のものではなく、引っ掛け穴５５ａを計６箇所設けている。
【００４９】
また当該変形例では線状体５１のうち左右の背フレーム４５、４６前方且つ張地４４の背面側に介在部材であるチューブ５１ｂを位置付け架設線５１ａを挿通させて覆うことにより、引っ掛け穴５５ａを介して各々の架設線５１ａが連動する際に動いても張地４４に擦れてしまうことを有効に回避している。また当該変形例では各々の架設線５１ａ毎にチューブ５１ｂを挿通させる態様を開示したが、複数の架設線を５１ａを覆うような介在部材として径が大きな筒状のものやシート状のものを適用してもよい。
【００５０】
このようなものであれば、着座者はダイヤル５７ａを適宜回転させることにより回転支持体５３ａの他端側と右背フレーム４６との離間寸法を調節して線状体５１の張力を自由に調整し得る。またダイヤル５７ａを回転させないときには雄ねじ軸５７ａの任意の位置にナット部５３ｂ２は安定して固定される。
【００５１】
また上記実施形態及び変形例では引掛ピン５５間の距離の変更によって張力を調整する態様を開示したが、本発明はかかる態様に限定されない。すなわち図１０に他の変形例として示す態様を挙げることができる。
【００５２】
同図では、線状体５１を環状ではなく両端を有する態様とし、一方の端部を固定ピン５５ｂにより固定するとともに、他方の端部をダイヤル５７ａの回転によって巻取体５８ａが適宜巻き取り得る構成を開示している。着座者はこのダイヤル５７ａを適宜回転させることにより線状体５１の張力を調整することができる。
【００５３】
このようなものであっても上記実施形態同様、架設線５１ａ同士が連動することにより着座者は所望の張力を得ることができる。
【００５４】
また上記図１０に係る変形例では一方の端部が固定された線状体５１の他方の端部を巻き取ることによって張力を調整する態様を開示したが、本発明はかかる態様に限定されない。すなわち図１１に他の変形例として示す態様を挙げることができる。
【００５５】
同図では、上記実施形態同様に他端側支持体５３をスライド動作させる態様を適用している。しかしながら本変形例では線状体５１を環状ではなく両端を有する態様とし、両方の端部を固定ピン５５ｂにより固定するようにしている。そして線状体５１の中間位置が前記掛け通し部たる引っ掛けピン５５により相対動作可能に掛け通された状態で支持されている。
【００５６】
当該変形例においても上記実施形態同様、弛緩状態（Ｐ）からレバー５７を内方へ回転させると他端側支持体５３の前記追従面５６がレバー５７の動作によるカム５８の回転のためにカム面５９に押圧される。その結果他端側支持体５３は外側方へスライド動作する。これにより架設線５１ａの張力が最も高く設定された緊張状態（Ｑ）が実現される。
【００５７】
また本変形例においても勿論、レバー５７を動作両端位置のみならずこれらの中間位置に設定することで、着座者が架設線５１ａの張力を任意に調整することができることはいうまでもない。
【００５８】
当該変形例では固定ピン５５ａ近傍においての架設線５１ａの連動が幾分限定されるものの、このようなものであっても上記実施形態同様、架設線５１ａ同士が適宜連動することにより着座者は所望の張力を得ることができる。
【００５９】
以上、本発明の実施形態について説明したが、各部の具体的な構成は、上述した実施形態のみに限定されるものではなく、本発明の趣旨を逸脱しない範囲で種々変形が可能である。
【００６０】
例えば、上記実施形態では張力調整手段は背フレームとは別体のものとした態様を開示したが、勿論、一方の支持体を背フレームに一体化する等して部品点数の削減を図ったものとしても良い。また上記実施形態及び変形例では１本の線状体によりランバーサポートを構成したが勿論、複数の線状体を適用しても良い。そして線状体を覆う介在部材を適用した構成は一の変形例についてのみ適用したが勿論、当該介在部材の構成は上記実施形態及び他の何れの変形例にも適用し得る。また線状体の径や線状体の取り回し位置といった具体的な態様は上記実施形態のものに限定されることはなく、既存のものを含め、種々の態様のものを適用することができる。
【００６１】
その他、各部の具体的構成についても上記実施形態に限られるものではなく、本発明の趣旨を逸脱しない範囲で種々変形が可能である。
【産業上の利用可能性】
【００６２】
本発明はランバーサポートを備えた椅子として利用することができる。
【符号の説明】
【００６３】
４…背凭れ
４４…張地
４５…左背フレーム
４６…右背フレーム
５…ランバーサポート
５１…線材
５１ａ…架設線
５４…張力調整部
【図１】
2014239723.tif 000003
【図２】
2014239723.tif 000004
【図３】
2014239723.tif 000005
【図４】
2014239723.tif 000006
【図５】
2014239723.tif 000007
【図６】
2014239723.tif 000008
【図７】
2014239723.tif 000009
【図８】
2014239723.tif 000010
【図９】
2014239723.tif 000011
【図１０】
2014239723.tif 000012
【図１１】
2014239723.tif 000013